(57)【要約】【課題】コンパクトで、厨芥（生ごみ）の処理量が多く、しかも倒れ難い安定性のある生ごみ処理機を得ること。【解決手段】間口巾が狭く、奥行きが間口巾よりも長く、しかも丈が奥行き長さよりも高い箱形の生ごみ処理機にあって、底部に備わる支持脚を利用して取り付けできる着脱着自在の横に長い補助脚を設けたことを特徴とする。【選択図】  図２
2004261687.tif 000002
【特許請求の範囲】
【請求項１】
間口巾が狭く、奥行きが間口巾よりも長く、しかも丈が奥行き長さよりも高い箱形の生ごみ処理機にあって、
この生ごみ処理機の底部に備わる支持脚を利用して取り付けできる着脱着自在なる横長の補助脚を設けたことを特徴とする生ごみ処理機。
【請求項２】
間口が狭く、奥行きが長い投入口を上部に有し、この投入口の奥行長さよりも底の深い処理槽と、この処理槽を内置する箱形の外枠体と、前記処理槽の上部に蝶番等で回動自在に支持され、かつ投入口を開いたり、閉じたりする上蓋と、処理槽に回転自在に備わる攪拌体と、前記処理槽の下側になる前記外枠体の内部空間に置かれ、かつ前記攪拌体を駆動するモータを有する生ごみ処理機において、前記箱形の外枠体は、奥行き長さより間口巾が狭く、かつ奥行き長さよりも丈が高い細長の形状をなすとともに底板に支持脚を有し、
前記支持脚に着脱自在なる横長の補助脚を備えたことを特徴とする生ごみ処理機。
【請求項３】
請求項２に記載された生ごみ処理機において、
生ごみ処理機が台所の流し台や台所食器棚等の狭いところに収まるときは、前記補助脚を前記外枠体の間口巾に収まる状態にセットし、流し台や台所食器棚等に寄り添わせないときは、前記補助脚を間口巾よりも外側に突き出す状態にセットするようにしたことを特徴とする生ごみ処理機。
【請求項４】
請求項１〜３の何れか一つに記載された生ごみ処理機において、
前記支持脚は外周が円形の形状を有し、
前記補助脚は、前記支持脚の外周に嵌合する取り付け部と、この取り付け部から横に延在する横長延在部を有することを特徴とする生ごみ処理機。
【請求項５】
請求項１〜４の何れか一つに記載された生ごみ処理機において、
脱臭した排気を生ごみ処理機の下方に排出する脱臭装置を備え、
この生ごみ処理機を載置するトレーを有することを特徴とする生ごみ処理機。
【請求項６】
上部に投入口を有する深底の処理槽と、この処理槽の上部に蝶番等で回動自在に支持され、かつ投入口の開け閉めをする上蓋と、前記処理槽内に回転自在に備わる攪拌体と、前記処理槽を加熱する加熱手段とを有する生ごみ処理機において、
前記上蓋を開いている状態では水滴出入口が上向き、上蓋を閉じた状態では水滴出入口が横向きになる露受ポケットを上蓋の内側に設けたことを特徴とする生ごみ処理機。
【請求項７】
請求項６に記載した生ごみ処理機にあって、
前記露受ポケットは、前記上蓋を開いたときに上蓋の下側になる部位に設けたことを特徴とする生ごみ処理機。
【請求項８】
請求項６に記載した生ごみ処理機にあって、
前記露受ポケットの水滴出入口は、前記上蓋を閉じたときに水平ないし幾分、下向きに置かれるように設けられていることを特徴とする生ごみ処理機。
【請求項９】
請求項６に記載した生ごみ処理機にあって、
前記上蓋の内側面に、前記露受ポケットに水滴を導く水滴案内壁を設けたことを特徴とする生ごみ処理機。
【請求項１０】
上部に投入口を有する深底の処理槽と、この処理槽の上部に蝶番等で回動自在に支持され、かつ投入口の開け閉めをする上蓋と、前記処理槽内に回転自在に備わる攪拌体と、前記処理槽を加熱する加熱手段とを有する生ごみ処理機において、
処理槽の上部に形成されているフランジ部の後部側には、前記上蓋を開閉自在に支持する蝶番が設けられる蝶番ベースを取り付け、この蝶番ベースに処理槽内に通ずる水抜き貫通孔を設け、この貫通孔には、処理槽に向う水の流を許し、逆に処理槽の外に向う気体の流れを阻止する水抜き逆止弁を設けたことを特徴とする生ごみ処理機。
【請求項１１】
上部に投入口を有する深底の処理槽と、この処理槽の上部に蝶番等で回動自在に支持され、かつ投入口の開け閉めをする上蓋と、前記処理槽内に回転自在に備わる攪拌体と、前記処理槽を加熱する加熱手段とを有する生ごみ処理機において、
処理槽の上部に形成されているフランジ部の後部側には、前記上蓋を開閉自在に支持する蝶番が設けられる蝶番ベースを取り付け、この蝶番ベースに、処理槽内に向う空気の流を許し、逆に処理槽の外に向う気体の流れを阻止する空気抜き逆止弁を設けたことを特徴とする生ごみ処理機。
【発明の詳細な説明】
【０００１】
【発明の属する技術分野】
本発明は、固形有機廃棄物の処理装置に係り、特に家庭の厨房からでる厨芥（生ごみ）を高温好気性のバクテリアにより分解する、いわゆる高温バイオ式の生ごみ処置装置に関する。
【０００２】
【従来の技術】
高温バイオ式の生ごみ処置装置としては種々のものがあるが、例えば特開平７−２９００２９号公報（特許文献１）や特開平６−３０４５４２号公報（特許文献２）等を挙げることができる。
【０００３】
台所で使用する生ごみ処置装置（生ごみ処理機）は、置き場所のとらないコンパクトで、しかも厨芥（生ごみ）の処理量が多いものが要求される。流し台と、食器棚等との狭いところに収まるような間口巾が狭く、奥行きが長く、しかも丈の高い箱形の形状をなす生ごみ処理機は、その要求を満足するが、縦長であるがために横方向に倒れやすく、不安定である。
【０００４】
【特許文献１】
特開平７−２９００２９号公報
【特許文献２】
特開平６−３０４５４２号公報
【０００５】
【発明が解決しようとする課題】
上記の問題に鑑み、本発明は、間口巾が狭く、奥行きが長く、しかも丈の高い箱形の生ごみ処理機にあって、倒れ難い安定性のあるものを提供することを目的とする。
【０００６】
【課題を解決するための手段】
本発明は、間口巾が狭く、奥行きが長く、しかも丈の高い箱形の生ごみ処理機にあって、底部に備わる支持脚を利用して取り外しできる横に長い補助脚を設けたことを特徴とする。
【０００７】
【発明の実施の形態】
本発明の実施の形態に係る実施例について図面を引用して説明する。
【０００８】
まず、図１、図２を引用して本発明に係る生ごみ処理機の概要から述べる。
【０００９】
生ごみ処理機（厨芥処理機）は、処理槽１、処理槽１を内置する外枠体２、処理槽１の上側に設けられ、処理槽１の上部に形成されている投入口１０を開け閉めする開閉自在なる上蓋３、処理槽１の内部に備わる回転自在なる撹拌体４、処理槽１の低部の下方で、外枠体２の空間内に備えられ、かつ撹拌体４を駆動するモータ１５を有する。
【００１０】
また、処理槽の外表面には、加熱する加熱手段とを有する。さらに前記空間内には脱臭装置（図示せず）が備わる。脱臭装置は送風部、脱臭部を有する。処理槽１の上側に設けた排気口１１は、ダクト１２を介して脱臭装置に連通している。脱臭装置で脱臭された排気は、室温より２５℃程度高温である。この高温の排気は外枠体２の下側から排出される。
【００１１】
処理槽１は、間口が狭く、奥行きが間口巾よりも長く、奥行き長さよりも底の深い形状を有する。また処理槽１の上部に設けられる投入口１０は、間口が狭く、奥行きが間口巾よりも長い形状を有している。この処理槽を内置する箱形の外枠体２は、奥行き長さより間口巾が狭く、かつ奥行き長さよりも丈が高い細長の形状を有している。このように間口巾が狭く、かつ縦長の形状をしている生ごみ処理機は、コンパクトで、処理量が多いメリットがあるが、左右方向に倒れ易く、安定性に欠ける嫌いがある。
【００１２】
この生ごみ処理機の安定性を上げる補助脚６について、図３、図４を加えて説明する。この補助脚６は、生ごみ処理機の転倒防止として用いられる。
【００１３】
生ごみ処理機の底部には、底板７が備わる。この底板７に支持脚５が嵌め込んで固定される。ねじ等で締め付け固定することも可能である。底板７は、外枠体２の底側の開口を塞ぐとともに外枠体２の底部にねじ等で締結され、外枠体２の底部の補強をもしている。
【００１４】
支持脚５は生ごみ処理機の底部の４隅に配置され、この支持脚５を利用して前記補助脚６は、生ごみ処理機の底部に取り付けられる。支持脚５は、外周が円形の形状を有している。外周が円形であるので、補助脚６が支持脚５に取り付け易く、しかもしっかりと止めることができる。
【００１５】
この補助脚６は、踵にあたる取り付け部６ａと、この取り付け部６ａから横に延在する横長延在部６ｂを有する全体として横に長い形をしている。取り付け部６ａは、生ごみ処理機の支持脚５の外周に嵌合する円筒を有する。この円筒をなす取り付け部６ａの上端面には係合凹部６ｃが形成されている。この係合凹部６ｃは、９０度の配置角度をもって３つ備わる。
【００１６】
補助脚６が、取り付け部６ａを支持脚５の外周に嵌合して取り付けた際に、係合凹部６ｃに底板７に設けた係合突起（図示せず）が係合するように構成されている。係合凹部６ｃと係合突起（図示せず）との係合で、補助脚６の回り止めが行われる。
【００１７】
補助脚６は取り付け部６ａを支持脚５に嵌め込んで取り付けられるが固めの嵌め込み嵌合になっているので、補助脚６を回しながらの嵌め込みになる。補助脚６の取り付け部６ａが円筒で、かつ支持脚５の外周が円形であるので回しながらの嵌め込みができる。
【００１８】
補助脚６が支持脚５に完全に取り付けられると、係合凹部６ｃと係合突起（図示せず）との係合で、補助脚６の回り止めが行われる状態になる。この回り止めで補助脚６の取り付け方向が容易に変わることがないので、補助脚６による生ごみ処理機の転倒防止機能が確実に維持される。
【００１９】
横長延在部６ｂの底面側は、周縁部を除いて凹んでいる。この周縁部と取り付け部６ａ（円筒）の下面は平坦（面一）になっている。周縁部を除いて凹ましたのは、補助脚６の成型性（合成樹脂で作られる。）が良く、床面に対する補助脚６の座りを良くするためである。また補助脚６が支持脚５に完全に取り付けられた状態では、支持脚５の下面と補助脚６の下面が面一になるので座りを良く、安定性が良い。また周縁部は、補助脚６の全体的な補強にもなっている。
【００２０】
生ごみ処理機の設置状態に応じた補助脚６の使い方を図５から図８に沿って説明する。
【００２１】
図５は、生ごみ処理機の背面を台所の壁に沿わせるように生ごみ処理機を設置した状態を示す。
【００２２】
補助脚６は、生ごみ処理機の前側の両支持脚５に取り付けられ、かつ外枠体２の外側に突き出すようにセットされている。このようにセットされた補助脚６によって、生ごみ処理機の左右方向の転倒は阻止される。
【００２３】
このように、間口巾が狭く、奥行きが間口巾よりも長く、しかも丈が奥行き長さよりも高い箱形の生ごみ処理機にあって、底部に備わる支持脚５を利用して取り付けできる着脱着自在の横に長い補助脚を設けたことにより、左右方向の転倒しない安定性のよい生ごみ処理機を得ることができた。
【００２４】
補助脚６は、横長の形状をなすもので、複雑な構造でないので作り易い。また、その補助脚６は、生ごみ処理機の底部に備わる支持脚５を利用して簡単に取り付け、取り外しできるので、取り扱い性も良い。
【００２５】
図６は、生ごみ処理機の左側面を台所の壁に沿わせるように生ごみ処理機を設置した状態を示す。
【００２６】
補助脚６は、生ごみ処理機の右側の前後支持脚５に取り付けられ、かつ外枠体２の外側に突き出すようにセットされている。このようにセットされた補助脚６によって、生ごみ処理機の右方向の転倒が阻止される。
【００２７】
図７は、生ごみ処理機を載置されるトレー２０（合成樹脂で作られる）を示す。このトレー２０は、生ごみ処理機に発生して外側に零れる水滴や、厨芥等の処理基材を投入する際に投入口１０から零れた処理基材を受ける。図８に示すようにトレー２０に載置された生ごみ処理機は、前側の両支持脚５に補助脚６が取り付けられる。トレー２０は外枠体２の外側に突き出すようにセットされた二つの補助脚６が収まる程度の大きさを有する。
【００２８】
図示していないが、生ごみ処理機を流し台と食器棚との狭いところに置くときには、補助脚６は不要である。支持脚５から補助脚６を外すか、あるいは補助脚６が外枠体２の外側に突き出ないように外枠体２の底部に収めるようにセットするようにする。
【００２９】
通常は行われないが、補助脚６を生ごみ処理機の前側または後側に突き出すようにセットして使用することも可能である。
【００３０】
またトレー２０には、前記脱臭装置から排出される高温の排気が吹き付けられる。このトレー２０を使用することで、高温の排気から床面を保護することができる。脱臭装置から排出される排気は、高温、高湿で、かつ酸性、腐食性のガス成分を含む。トレー２０は、床面の汚れ防止や排気による床面の損傷保護に極めて有効である。
【００３１】
次に図９〜図１４に沿って他の実施例について説明する。
【００３２】
ここで述べる実施例は、上蓋に結露した水滴の捕集に関すものである。先に述べた実施例と共通するところは同じ符号を付して重複説明はできるだけ省略するようにする。
【００３３】
上蓋３は、処理槽１の上部の後側に蝶番をもって開閉自在に支持されている。
【００３４】
上蓋３の内側面には、図９、図１０に示すように露受ポケット３０が備わる。この露受ポケット３０は上蓋３が開かれている状態では水滴出入口３１が上向きに、上蓋を閉じた状態では水滴出入口３１が横向きになるように設けられている。
【００３５】
また露受ポケット３０は、前記蝶番があるところに近づけて設けられる。つまり、上蓋３を開いたときに上蓋３の下側になる部位に位置するように露受ポケット３０は備わる。
【００３６】
露受ポケット３０の水滴出入口３０は、上蓋３を閉じたときに水平方向ないし、いくぶん下向きに置かれるように設けられている。
【００３７】
生ごみ処理機の運転で、上蓋３の内面に多くの結露ができる。図１１に示すように、上蓋３を開くと、その結露で出来た水滴は上蓋３の内面を伝わって流下し、上向きに開いている水滴出入口３０から露受ポケット３０に流れ込んで溜まる。
【００３８】
溜まった水滴は、図１２に示すように上蓋３を閉じることに水滴出入口３０が水平方向ないし、いくぶん下向きに置かれるようになるため、水滴出入口３０にから排水されて処理槽１内に落ち、処理基材に吸われる。
【００３９】
このように上蓋３の内面に出来た結露は、露受ポケット３０に溜めて処理槽１内に落されるので、その結露の水滴が生ごみ処理機の外面を伝わって流落ち、床面を濡らしてしまう不具合は生じない。
【００４０】
上蓋３の内面には、二つの水滴案内壁３２が設けられる。この水滴案内壁３２は、露受ポケット３０に内側両端から露受ポケット３０の遠方に向けて延在している。この二つの水滴案内壁３２で上蓋３の内面の大部分が囲われる。この水滴案内壁３２により、大部分の水滴を逃さず露受ポケット３０に集めて溜めることができる。
【００４１】
なお、二つの水滴案内壁３２の外側に結露した水滴の流出については、後で述べる。
【００４２】
図１３、図１４に示すように蝶番ベース３５が処理槽１のフランジ部３６の後側部に取り付けられる。フランジ部３６は外向きに突き出た形状をなしている。蝶番ベース３５に上蓋３を回動自在に支持する蝶番（図示せず）が取り付けられる。蝶番ベース３５の上には蝶番カバー３７が取り付けられる。
【００４３】
図１３、図１４に示すように蝶番ベース３５の長手方向の中央部に水抜き貫通孔３８が形成される。この水抜き貫通孔３８には、処理槽１の内側に水抜き逆止弁３９（ゴムで形成される。）が備わる。この水抜き逆止弁３９は止めねじ４０で蝶番ベース３５の下面に止められる。水抜き逆止弁３９の下端側は蝶番ベース３５の立下片４１の内側面に当接した状態に置かれる。蝶番ベース３５の上面で、前記立下片４１のほぼ上側部位には、長手方向に延びる立上リブ４２を設け、この立上リブ４２に切欠４３が形成されている。
【００４４】
フランジ部３６の後側部に溜まる水滴は、水抜き貫通孔３８を抜け、水抜き逆止弁３９から、処理槽１に流入する。また蝶番ベース３５と蝶番カバー３７との間にできる水滴（結露）は、切欠４３のところを流れて、水抜き貫通孔３８を抜け、水抜き逆止弁３９から、処理槽１に流入する。この水抜き逆止弁３９は、水がある程度溜まることによって流れ落ちるようになっている。そのため、水抜き逆止弁３９は水が溜まる構成になっている。
【００４５】
なお、ここで述べたフランジ部３６の後側部に溜まる水滴は、前述した二つの水滴案内壁３２の外側に結露した水滴が流れ落ちて溜まったものである。
【００４６】
また水抜き貫通孔３８に水抜き用逆止弁３９を設けたのは、処理槽１内に発生する臭が、水抜き貫通孔３８から生ごみ処理機の外部に流出するのを抑えるためである。
【００４７】
空気抜き逆止弁５０は、蝶番ベース３５の右端側に備わる。この空気抜き逆止弁５０は、蝶番ベース３５に取り付けられた逆止弁支持管５１に締め付けベルト５２によって締結される。この空気抜き逆止弁５０（ゴムで形成されている。）は、生ごみ処理機の外部から処理槽１内に外気を導入し、処理槽１内に発生する臭が、生ごみ処理機の外部に流出するのを抑えるためである。外気が処理槽１内に導入されるのは、脱臭装置の送風部６０の吸引作用によるものである。
【００４８】
この空気抜き逆止弁５０から吸い込まれる空気とともに処理槽１内の臭気は、排気口１１に流れ、脱臭装置の脱臭部６１で脱臭され、除臭された空気が下方に排気される。これにより、生ごみ処理機からの臭い漏れを抑えることができる。
【００４９】
【発明の効果】
本発明によれば、コンパクトで、厨芥（生ごみ）の処理量が多く、しかも倒れ難い安定のある生ごみ処理機を提供できる。
【図面の簡単な説明】
【図１】本発明の実施例に係るもので、生ごみ処理機の縦断面図。
【図２】本発明の実施例に係るもので、生ごみ処理機の外観斜視図。
【図３】本発明の実施例に係るもので、生ごみ処理機の底から見た斜視図。
【図４】本発明の実施例に係るもので、補助脚の単品図。
【図５】本発明の実施例に係るもので、生ごみ処理機の背面を台所の壁に沿わせて設置した状態を示す図。
【図６】本発明の実施例に係るもので、生ごみ処理機の左側面を台所の壁に沿わせて設置した状態を示す図。
【図７】本発明の実施例に係るもので、生ごみ処理機を載置するトレーの単品図。
【図８】本発明の実施例に係るもので、生ごみ処理機をトレーに載置した状態を示す図。
【図９】本発明の他の実施例に係るもので、上蓋を開いた状態にある生ごみ処理機の全体斜視図。
【図１０】本発明の他の実施例（図９と同じ実施例）に係るもので、上蓋を開いた状態にある生ごみ処理機の正面図。
【図１１】本発明の他の実施例（図９と同じ実施例）に係るもので、上蓋を開いた状態にある生ごみ処理機の縦断面図。
【図１２】本発明の他の実施例（図９と同じ実施例）に係るもので、上蓋を閉じた状態にある生ごみ処理機の縦断面図。
【図１３】本発明の他の実施例（図９と同じ実施例）に係るもので、図９の（Ａ）−（Ａ）断面図。
【図１４】本発明の他の実施例（図９と同じ実施例）に係るもので、図９の（Ｂ）−（Ｂ）断面図。
【符号の説明】
１…処理槽、２…外枠体、３…上蓋、１５…モータ、４…撹拌体、５…支持脚、６…補助脚、７…底板。
【図１】
2004261687.tif 000003
【図２】
2004261687.tif 000004
【図３】
2004261687.tif 000005
【図４】
2004261687.tif 000006
【図５】
2004261687.tif 000007
【図６】
2004261687.tif 000008
【図７】
2004261687.tif 000009
【図８】
2004261687.tif 000010
【図９】
2004261687.tif 000011
【図１０】
2004261687.tif 000012
【図１１】
2004261687.tif 000013
【図１２】
2004261687.tif 000014
【図１３】
2004261687.tif 000015
【図１４】
2004261687.tif 000016